(57)【要約】【課題】金属パネル部分に別部材で意匠を施すとともに、この意匠の施工を容易とする門扉を提供する。【解決手段】  間隔をおいて対向する表裏２枚の金属パネルの内側に桟材を設けた門扉において、前記桟材のうちの少なくとも１以上の桟材を、長手方向両側面に全長にわたり露出部を形成するとともに、この露出部の上下に溝部を設けた露出用桟材として設けた。前記金属パネルは、前記露出部を露出させるためのスリットを有するとともに、このスリットの内周縁が内側に立ち上げられて起立縁を形成しており、この起立縁が前記溝部に挿入されるようにした。【選択図】図２
2011196027.tif 000002
【特許請求の範囲】
【請求項１】
間隔をおいて対向する表裏２枚の金属パネルの内側に桟材を設け、
前記桟材のうちの少なくとも１以上の桟材は、長手方向両側面に全長にわたり露出部を形成するとともに、この露出部の上下に溝部を設けた露出用桟材であり、
前記金属パネルは、前記露出部を露出させるためのスリットを有するとともに、このスリットの内周縁が内側に立ち上げられて起立縁を形成しており、この起立縁が前記溝部に挿入されていることを特徴とする、門扉。
【請求項２】
前記露出用桟材の前記露出部の端部は、前記溝部の端部と比較して長手方向に突出するように形成されていることを特徴とする、請求項１記載の門扉。
【発明の詳細な説明】
【技術分野】
【０００１】
この発明は、間隔をおいて対向する表裏２枚の金属パネルを備えた門扉に関するものである。
【背景技術】
【０００２】
従来、道路と敷地とを仕切るエクステリア商品として様々な門扉が提案されている。
【０００３】
例えば、こうした門扉として、本出願人は、特許文献１のような門扉を提案した。すなわち、間隔をおいて対向した表裏２枚の金属パネルの左右両側部の内側に縦框を配置し、上記金属パネルの側端部を上記縦框の外側縁に沿って折り曲げ、かつ上記縦框の外側面には上記金属パネルの側端部の上から戸当り又は框カバーを取り付ける一方、上記金属パネルの上下端部を内側に折り曲げて互いに係合させ、上記金属パネルの上部端面と側端部の上端との間に形成された隙間をキャップで覆うとともに、内部に形成された空間部内に発泡体からなる芯材を収納する門扉を提案した。
【０００４】
このような門扉によれば、框が外部に露出しないので、見掛け上は全体が１枚のパネルのように見え、主に玄関用扉とコーディネートすることができる。
【先行技術文献】
【特許文献】
【０００５】
【特許文献１】特開２００６−２５７７９９号公報
【発明の概要】
【発明が解決しようとする課題】
【０００６】
しかし、上記した特許文献１記載の門扉では、金属パネル部分の意匠性は特に考慮されていなかった。
【０００７】
そこで、本発明は、金属パネル部分に別部材で意匠を施すとともに、この意匠の施工を容易とする門扉を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の門扉は、間隔をおいて対向する表裏２枚の金属パネルの内側に桟材を設け、前記桟材のうちの少なくとも１以上の桟材は、長手方向両側面に全長にわたり露出部を形成するとともに、この露出部の上下に溝部を設けた露出用桟材であり、前記金属パネルは、前記露出部を露出させるためのスリットを有するとともに、このスリットの内周縁が内側に立ち上げられて起立縁を形成しており、この起立縁が前記溝部に挿入されていることを特徴とする。
【００１１】
（請求項２）
請求項２に記載の発明は、上記した請求項１に記載の発明の特徴点に加え、以下の点を特徴とする。
【００１２】
すなわち、前記露出用桟材の前記露出部の端部は、前記溝部の端部と比較して長手方向に突出するように形成されていることを特徴とする。
【発明の効果】
【００１３】
請求項１に記載の発明は上記の通りであり、露出用桟材の長手方向両側面に全長にわたり露出部を形成するとともに、この露出部の上下に溝部を設け、この溝部に金属パネルの起立縁を挿入することとしたため、露出部による意匠効果を得られるとともに、露出用桟材の位置決めが容易にでき、施工性の高い門扉を提供できる。
【００１４】
また、本発明に係る門扉は、間隔をおいて対向する表裏２枚の金属パネルからなり、全体が一枚のパネルのように見えるものであるが、その内部に桟材を設けたため門扉の強度が高まるようになっている。そして、この桟材のうちの少なくとも１以上の桟材は、露出部を設けた露出用桟材として設けられているため、桟材を設けた効果として、強度の向上のみならず、意匠性の向上も発揮できるものとなっている。
【００１５】
また、請求項２に記載の発明は上記の通りであり、露出用桟材の露出部の端部は、前記溝部の端部と比較して長手方向に突出するように形成されているため、露出部の形状に自由度を持たせることが可能となっている。例えば、露出部の端部をＲ形状としたい場合、このＲ形状部にも溝部を設けることとすると、その加工は困難なものとなり、製造コストも高くならざるを得ない。しかしながら、請求項２に記載の発明によれば、Ｒ形状部が突出部分に形成されるため、ここに溝部を設ける必要がなく、加工容易で製造コストも低く抑えることができる。このため、意匠性の高い門扉を安価に製造することができる。
【図面の簡単な説明】
【００１６】
【図１】本発明の実施の形態であって、門扉の外観図である。
【図２】本発明の実施の形態であって、図１のＸ−Ｘ’断面図（一部省略）である。
【図３】本発明の実施の形態であって、露出用桟材の（ａ）正面図、（ｂ）側面図、（ｃ）平面図である。
【図４】本発明の実施の形態であって、門扉の組み立て方を説明するための図であり、露出用桟材を配置する手順を示す説明図である。
【図５】本発明の実施の形態であって、図４の手順により組み立てた状態を示す説明図であり、金属パネルと露出用桟材との係合部を示す部分拡大斜視図である。
【図６】本発明の実施の形態であって、門扉の組み立て方を説明するための図であり、芯材及び対向する金属パネルを配置する手順を示す説明図である。
【図７】本発明の実施の形態であって、図４〜図６の手順によって組み立てられた門扉を示す図である。
【発明を実施するための形態】
【００１７】
本発明の実施形態について、図を参照しながら説明する。
【００１８】
図１の外観図が示すように、本実施形態に係る門扉１０は、表裏２枚のアルミニウム、ステンレス等の金属パネル２０を間隔をおいて対向させてなるものである。
【００１９】
そして、この金属パネル２０には、水平方向にスリット２２が形成されており、このスリット２２から露出用桟材３０の露出部３１が露出するようになっている。
【００２０】
ここで、図２が示すように、２枚の金属パネル２０の内側には、上端部に上框４４が設けられており、下端部に下框４５が設けられている。そして、この上框４４と下框４５との間に、前述した露出用桟材３０が、上框４４及び下框４５と平行に設けられている。この露出用桟材３０には、長手方向両側面に露出部３１が設けられており、この露出部３１は、前述した金属パネル２０のスリット２２から露出するようになっている。
【００２１】
ところで、金属パネル２０のスリット２２の内周縁は、図２が示すように、バーリング加工により内側に立ち上げられた形状となっており、これにより起立縁２１を形成している。そして、スリット２２の幅と露出部３１の幅はほぼ同じであり、起立縁２１が、露出用桟材３０の溝部３２に挿入されるようになっている。
【００２２】
すなわち、図３に示すように、露出用桟材３０の長手方向両側面には、全長にわたり、金属パネル２０のスリット２２と同一形状の露出部３１が形成されている。そして、この露出部３１の上下には、溝部３２が形成されている。このため、この溝部３２に前記した起立縁２１が挿入できるようになっている。
【００２３】
更に詳しくは、露出用桟材３０は、図３に示すように、中空のアルミニウム製押出型材であり、略四角筒状の部材として形成されている。そして、露出用桟材３０の左右の側面の中央には、長手方向両側面に沿って、上縁壁部３３ａと下縁壁部３３ｂとに挟まれるように露出部３１が設けられている。この上下２つの側縁壁部３３と露出部３１とは、ほぼ同一面上となる側面を形成している。そして、上下それぞれの側縁壁部３３と露出部３１との間には、断面Ｖ字状の溝部３２が形成されており、前述した起立縁２１が挿入可能となっている。言い換えると、図２に示すように、金属パネル２０のスリット２２の開口周縁部には、露出用桟材３０の側縁壁部３３から溝部３２に沿うように起立縁２１が形成されており、これにより、この起立縁２１が溝部３２に挿入されるようになっている。
【００２４】
このように、露出用桟材３０の露出部３１以外の部分は金属パネル２０で覆われることとなり、外部に露出しないように形成されている。
【００２５】
なお、図３に示すように、この露出用桟材３０の露出部３１の両端部３１ａは、溝部３２や側縁壁部３３の端部と比較して長手方向に突出するように形成されている。本実施形態に係る露出用桟材３０は、このように形成されることにより、露出部３１の形状に自由度を持たせることが可能となっている。すなわち、図３に示すように、露出部３１の端部３１ａはＲ形状となっているが、このＲ形状の端部３１ａの周縁にも溝部３２を設けることとすると、Ｒ形状の溝部３２を形成する必要があるため、加工が複雑になってしまう。しかしながら、本実施形態に係る露出用桟材３０のように、露出部３１の端部３１ａを溝部３２や側縁壁部３３の端部に対して長手方向に突出するように形成すれば、Ｒ形状の溝部３２を形成する必要がなく、加工容易で安価な製造コストで意匠性の高い露出用桟材３０を得ることができる。なお、本実施形態においては、露出部３１の端部３１ａはＲ形状に形成することとしたが、これに限らない。すなわち、露出部３１の端部３１ａの形状は、門扉１０の意匠的効果を考慮して設計者が適宜選択することができるものである。
【００２６】
次に、図４〜７を見ながら、本実施例に係る門扉１０の組み立て手順について説明する。
【００２７】
まず、図４に示すように、一方側の金属パネル２０の内面に接着剤を塗布し、上框４４、下框４５、召合縦框４１、及び吊元縦框４２を配置し、更に、露出用桟材３０を配置して、これらを金属パネル２０に接着する。
【００２８】
このとき、召合縦框４１及び吊元縦框４２の互いに対向する位置には、露出用桟材３０を配置するための切欠き４３が設けられているため、この切欠き４３の位置に合わせて露出用桟材３０を配置する。
【００２９】
更には、この露出用桟材３０を配置する際には、前述したように、金属パネル２０の起立縁２１が露出用桟材３０の溝部３２に挿入されるようにする。すなわち、図５に示すように、起立縁２１の上辺側が露出用桟材３０の上部の溝部３２に挿入され、起立縁２１の下辺側が露出用桟材３０の下部の溝部３２に挿入されるように、露出用桟材３０を配置する。このとき、露出部３１の端部３１ａの周縁には溝部３２に続く溝が形成されていないので、起立縁２１が端部３１ａの周縁を包囲するように配置される。
【００３０】
なお、図３及び図４に示すように、露出用桟材３０の両端部には、上下方向に配線用の切欠き３４が設けられている。このため、本実施形態に係る露出用桟材３０のように幅広の露出用桟材３０を使用した場合においても、露出用桟材３０が召合縦框４１の内部を塞いでしまうことがなく、召合縦框４１内に配線を通すことができるようになっている。例えば、召合縦框４１の内部に門扉１０を施錠するための電気錠を設ける場合、この電気錠の電線は、召合縦框４１の内部から下框４５の内部を通過させることが考えられる。このとき、露出用桟材３０に配線用の切欠き３４が設けられていることにより、露出用桟材３０が配線を妨げることがない。このため、本実施形態によれば、幅広の露出用桟材３０を用いることで意匠的効果を増大させるとともに、召合縦框４１の内部での配線を妨げないようになっており、例えば、電気錠を設ける際の妨げとならないように形成されている。
【００３１】
次に、図６に示すように、予め所定の大きさ及び形状に形成された発泡体からなる芯材４０を枠組みの内部に配置するとともに、内側に接着剤を塗布したもう一方の金属パネル２０を被せる。
【００３２】
このように金属パネル２０を被せた後、マスキングテープで本体を仮止めし、ホットプレス接着する。
【００３３】
その後、角部にコーナーキャップなどを固定し、これにより、図７に示すような門扉１０が完成する。
【００３４】
以上のように、本実施形態に係る門扉１０は、露出用桟材３０の長手方向両側面に全長にわたり露出部３１を形成するとともに、この露出部３１の上下に溝部３２を設け、この溝部３２に金属パネル２０の起立縁２１を挿入することとしている。このため、露出部３１による意匠効果を得られるとともに、露出用桟材３０の位置決めが容易にでき、施工性の高い門扉１０を提供できるようになっている。
【００３５】
なお、上記した実施形態においては、露出用桟材３０を水平方向に設けることとしたが、これに限らない。すなわち、露出用桟材３０を垂直方向に設けることとしても良いし、斜めに設けることとしても良い。
【符号の説明】
【００３６】
１０  門扉
２０  金属パネル
２１  起立縁
２２  スリット
３０  露出用桟材
３１  露出部
３１ａ  端部
３２  溝部
３３  側縁壁部
３３ａ  上縁壁部
３３ｂ  下縁壁部
３４  配線用の切欠き
４０  芯材
４１  召合縦框
４２  吊元縦框
４３  切欠き
４４  上框
４５  下框
【図１】
2011196027.tif 000003
【図２】
2011196027.tif 000004
【図３】
2011196027.tif 000005
【図４】
2011196027.tif 000006
【図５】
2011196027.tif 000007
【図６】
2011196027.tif 000008
【図７】
2011196027.tif 000009